(57)【要約】【課題】  同じＳＩＲでもさらに上位のＭＣＳの利用可能性が生じ、スループット特性を向上可能なデータ伝送装置を提供する。【解決手段】  受信側のデータ伝送装置１では受信したデータを逆拡散器１２で逆拡散した後に、品質測定器１４と制御情報復号器１６とデータ検出器１７へそれぞれ分配されて送られる。品質測定器１４は伝送データチャネルの品質情報を測定し、制御情報復号器１６はＭＣＳ情報を復号し、データ検出器１７はＭＣＳ情報を用いて伝送データを復号する。また、データ検出器１７では再送データに対して以前のエラーデータとの合成を行い、データ復号精度を向上させている。ＡＭＣを制御する適応変調制御回路１８は品質測定器１４からの品質情報と、データ検出器１７からの閾値補正値とに基づいて最適なＭＣＳを選択する。【選択図】      図１                                                  
2005123755.tif 000002
【特許請求の範囲】
【請求項１】
伝送路状態に応じた変調符号及び符号化率を選択する適応変調方式と、再送データとそれまでに伝送してエラーとなった伝送データとを合成してデータ検出精度の向上させるＨＡＲＱ（Ｈｙｂｒｉｄ  Ａｕｔｏｍａｔｉｃ  Ｒｅｐｅａｔ  Ｒｅｑｕｅｓｔ）とを組合せて用いるデータ伝送装置を含むデータ伝送システムであって、前記再送データとの合成を前提とした前記変調符号及び符号化率の選択に用いる閾値を補正する手段を前記データ伝送装置に有することを特徴とするデータ伝送システム。
【請求項２】
前記閾値を補正する手段は、前記再送データとの合成比率を求めるためのエラーデータの確からしさを示すパラメータを設定し、前記再送データと前記伝送データとの合成データのスループット特性シフトに対応させて前記閾値の補正値を求めることを特徴とする請求項１記載のデータ伝送システム。
【請求項３】
前記パラメータとして、選択された前記変調符号及び符号化率による復号データに対するＳＩＲ（Ｓｉｇｎａｌ  ｔｏ  Ｉｎｔｅｒｆｅｒｅｎｃｅ  ｐｏｗｅｒ  Ｒａｔｉｏ）を用いることを特徴とする請求項２記載のデータ伝送システム。
【請求項４】
前記再送データと前記伝送データとの合成において、前記ＳＩＲを用いて合成比率を決定することを特徴とする請求項３記載のデータ伝送システム。
【請求項５】
前記適応変調方式のスループット特性を最大とするための閾値として前記ＳＩＲを用いることを特徴とする請求項３または請求項４記載のデータ伝送システム。
【請求項６】
スループット静特性を用いて前記変調符号及び符号化率の選択に用いる閾値をを求めることことを特徴とする請求項３から請求項５のいずれか記載のデータ伝送システム。
【請求項７】
受信側のデータ伝送装置で前記変調符号及び符号化率の選択に用いる閾値の補正値を求め、前記伝送データに対する伝送路品質情報と閾値デーブルとを用いて前記変調符号及び符号化率の選択を行い、その選択結果を送信側のデータ伝送装置にエラー情報とともに通達することを特徴とする請求項１から請求項６のいずれか記載のデータ伝送システム。
【請求項８】
受信側のデータ伝送装置で伝送路品質測定と前記変調符号及び符号化率の選択に用いる閾値の補正値の計算とを行い、それらの結果を送信側のデータ伝送装置にエラー情報とともに通達し、送信側のデータ伝送装置で前記受信側のデータ伝送装置から送られてきた前記閾値の補正値を用いて前記閾値を補正し、送られてきた品質情報との比較結果から前記変調符号及び符号化率の選択を行うことを特徴とする請求項１から請求項６のいずれか記載のデータ伝送システム。
【請求項９】
上位装置からの制御によって前記閾値から選択された前記変調符号及び符号化率を変更することを特徴とする請求項８記載のデータ伝送システム。
【請求項１０】
受信側のデータ伝送装置で伝送路品質測定と前記パラメータの計算とを行い、その計算結果を送信側のデータ伝送装置にエラー情報とともに通達し、送信側のデータ伝送装置で前記受信側のデータ伝送装置から送られてきた前記パラメータを基に前記閾値の補正値を求めて当該閾値を補正し、前記受信側のデータ伝送装置から送られてきた伝送路品質情報との比較結果から前記変調符号及び符号化率の選択を行うことを特徴とする請求項１から請求項６のいずれか記載のデータ伝送システム。
【請求項１１】
上位装置からの制御によって前記閾値から選択された前記変調符号及び符号化率を変更することを特徴とする請求項１０記載のデータ伝送システム。
【請求項１２】
前記パラメータを基に前記変調符号及び符号化率各々の境界に対する前記閾値の補正値を出力する閾値補正値計算器を前記送信側のデータ伝送装置を含むこと特徴とする請求項１１記載のデータ伝送システム。
【請求項１３】
伝送路状態に応じた変調符号及び符号化率を選択する適応変調方式と、再送データとそれまでに伝送してエラーとなった伝送データとを合成してデータ検出精度の向上させるＨＡＲＱ（Ｈｙｂｒｉｄ  Ａｕｔｏｍａｔｉｃ  Ｒｅｐｅａｔ  Ｒｅｑｕｅｓｔ）とを組合せて用いるデータ伝送装置であって、前記再送データとの合成を前提とした前記変調符号及び符号化率の選択に用いる閾値を補正する手段を有することを特徴とするデータ伝送装置。
【請求項１４】
前記閾値を補正する手段は、前記再送データとの合成比率を求めるためのエラーデータの確からしさを示すパラメータを設定し、前記再送データと前記伝送データとの合成データのスループット特性シフトに対応させて前記閾値の補正値を求めることを特徴とする請求項１３記載のデータ伝送装置。
【請求項１５】
前記パラメータとして、選択された前記変調符号及び符号化率による復号データに対するＳＩＲ（Ｓｉｇｎａｌ  ｔｏ  Ｉｎｔｅｒｆｅｒｅｎｃｅ  ｐｏｗｅｒ  Ｒａｔｉｏ）を用いることを特徴とする請求項１４記載のデータ伝送装置。
【請求項１６】
前記再送データと前記伝送データとの合成において、前記ＳＩＲを用いて合成比率を決定することを特徴とする請求項１５記載のデータ伝送装置。
【請求項１７】
前記適応変調方式のスループット特性を最大とするための閾値として前記ＳＩＲを用いることを特徴とする請求項１５または請求項１６記載のデータ伝送装置。
【請求項１８】
スループット静特性を用いて前記変調符号及び符号化率の選択に用いる閾値をを求めることことを特徴とする請求項１５から請求項１７のいずれか記載のデータ伝送装置。
【請求項１９】
前記伝送データを受信する際に前記変調符号及び符号化率の選択に用いる閾値の補正値を求め、前記伝送データに対する伝送路品質情報と閾値デーブルとを用いて前記変調符号及び符号化率の選択を行い、その選択結果をエラー情報とともに前記伝送データの送信側に通達することを特徴とする請求項１３から請求項１８のいずれか記載のデータ伝送装置。
【請求項２０】
前記伝送データを受信する際に伝送路品質測定と前記変調符号及び符号化率の選択に用いる閾値の補正値の計算とを行い、それらの結果をエラー情報とともに前記伝送データの送信側に通達し、前記伝送データの受信側から送られてきた前記閾値の補正値を用いて前記閾値を補正し、送られてきた品質情報との比較結果から前記変調符号及び符号化率の選択を行うことを特徴とする請求項１３から請求項１８のいずれか記載のデータ伝送装置。
【請求項２１】
上位装置からの制御によって前記閾値から選択された前記変調符号及び符号化率を変更することを特徴とする請求項２０記載のデータ伝送装置。
【請求項２２】
前記伝送データを受信する際に伝送路品質測定と前記パラメータの計算とを行い、その計算結果をエラー情報とともに前記伝送データの送信側に通達し、前記伝送データの受信側から送られてきた前記パラメータを基に前記閾値の補正値を求めて当該閾値を補正し、前記伝送データの受信側から送られてきた伝送路品質情報との比較結果から前記変調符号及び符号化率の選択を行うことを特徴とする請求項１３から請求項１８のいずれか記載のデータ伝送装置。
【請求項２３】
上位装置からの制御によって前記閾値から選択された前記変調符号及び符号化率を変更することを特徴とする請求項２２記載のデータ伝送装置。
【請求項２４】
前記伝送データを送信する側において前記パラメータを基に前記変調符号及び符号化率各々の境界に対する前記閾値の補正値を出力する閾値補正値計算器を含むこと特徴とする請求項２３記載のデータ伝送装置。
【請求項２５】
伝送路状態に応じた変調符号及び符号化率を選択する適応変調方式と、再送データとそれまでに伝送してエラーとなった伝送データとを合成してデータ検出精度の向上させるＨＡＲＱ（Ｈｙｂｒｉｄ  Ａｕｔｏｍａｔｉｃ  Ｒｅｐｅａｔ  Ｒｅｑｕｅｓｔ）とを組合せて用いるデータ伝送装置を含むデータ伝送システムの適応変調制御方法であって、前記データ伝送装置において前記再送データとの合成を前提とした前記変調符号及び符号化率の選択に用いる閾値を補正することを特徴とする適応変調制御方法。
【請求項２６】
前記閾値を補正する際に、前記再送データとの合成比率を求めるためのエラーデータの確からしさを示すパラメータを設定し、前記再送データと前記伝送データとの合成データのスループット特性シフトに対応させて前記閾値の補正値を求めることを特徴とする請求項２５記載の適応変調制御方法。
【請求項２７】
前記パラメータとして、選択された前記変調符号及び符号化率による復号データに対するＳＩＲ（Ｓｉｇｎａｌ  ｔｏ  Ｉｎｔｅｒｆｅｒｅｎｃｅ  ｐｏｗｅｒ  Ｒａｔｉｏ）を用いることを特徴とする請求項２６記載の適応変調制御方法。
【請求項２８】
前記再送データと前記伝送データとの合成において、前記ＳＩＲを用いて合成比率を決定することを特徴とする請求項２７記載の適応変調制御方法。
【請求項２９】
前記適応変調方式のスループット特性を最大とするための閾値として前記ＳＩＲを用いることを特徴とする請求項２７または請求項２８記載の適応変調制御方法。
【請求項３０】
スループット静特性を用いて前記変調符号及び符号化率の選択に用いる閾値をを求めることことを特徴とする請求項２７から請求項２９のいずれか記載の適応変調制御方法。
【請求項３１】
受信側のデータ伝送装置で前記変調符号及び符号化率の選択に用いる閾値の補正値を求め、前記伝送データに対する伝送路品質情報と閾値デーブルとを用いて前記変調符号及び符号化率の選択を行い、その選択結果を送信側のデータ伝送装置にエラー情報とともに通達することを特徴とする請求項２５から請求項３０のいずれか記載の適応変調制御方法。
【請求項３２】
受信側のデータ伝送装置で伝送路品質測定と前記変調符号及び符号化率の選択に用いる閾値の補正値の計算とを行い、それらの結果を送信側のデータ伝送装置にエラー情報とともに通達し、送信側のデータ伝送装置で前記受信側のデータ伝送装置から送られてきた前記閾値の補正値を用いて前記閾値を補正し、送られてきた品質情報との比較結果から前記変調符号及び符号化率の選択を行うことを特徴とする請求項２５から請求項３０のいずれか記載の適応変調制御方法。
【請求項３３】
上位装置からの制御によって前記閾値から選択された前記変調符号及び符号化率を変更することを特徴とする請求項３２記載の適応変調制御方法。
【請求項３４】
受信側のデータ伝送装置で伝送路品質測定と前記パラメータの計算とを行い、その計算結果を送信側のデータ伝送装置にエラー情報とともに通達し、送信側のデータ伝送装置で前記受信側のデータ伝送装置から送られてきた前記パラメータを基に前記閾値の補正値を求めて当該閾値を補正し、前記受信側のデータ伝送装置から送られてきた伝送路品質情報との比較結果から前記変調符号及び符号化率の選択を行うことを特徴とする請求項２５から請求項３０のいずれか記載の適応変調制御方法。
【請求項３５】
上位装置からの制御によって前記閾値から選択された前記変調符号及び符号化率を変更することを特徴とする請求項３４記載の適応変調制御方法。
【請求項３６】
前記送信側のデータ伝送装置に配設した閾値補正値計算器が、前記パラメータを基に前記変調符号及び符号化率各々の境界に対する前記閾値の補正値を出力すること特徴とする請求項３５記載の適応変調制御方法。
【発明の詳細な説明】
【技術分野】
【０００１】
本発明はデータ伝送システム、データ伝送装置及びそれに用いる適応変調制御方法に関し、特に適応変調方式を用いたディジタル無線通信装置に関する。
【背景技術】
【０００２】
近年、移動体通信システムの普及や進歩がめざましく、またその移動体通信システムの普及や進歩に対する期待も大きい。また、この移動体通信システムでは、マルチメディアやインタネットを意識したシステムにすること、高速データレートのデータ通信をサポートすること、世界共通規格とすることを目標に、３ＧＰＰ（３ｒｄ  Ｇｅｎｅｒａｔｉｏｎ  Ｐａｒｔｎｅｒｓｈｉｐ  Ｐｒｏｊｅｃｔ）では新たな規格の策定が行われている。
【０００３】
３ＧＰＰ等の無線通信の規格では、効率の良いデータ伝送を行うために、適応変調（ＡＭＣ：Ａｄａｐｔｉｖｅ  Ｍｏｄｕｌａｔｉｏｎ  ａｎｄ  Ｃｏｄｉｎｇ）方式が採用されている。
【０００４】
この適応変調方式では回線品質の動的な変化に対して適応的に対応することによって、無線チャネル資源を有効に利用し、効率的にデータ伝送を行うことができる。受信側のデータ伝送装置は回線品質を測定し、その測定結果に基づいて、データ送信に用いる変調方式及び符号化率（ＭＣＳ：Ｍｏｄｕｌａｔｉｏｎ  Ｃｏｄｉｎｇ  Ｓｃｈｅｍｅ）を選択してに通知する。
【０００５】
送信側のデータ伝送装置データ送信装置では、その変調方式及び符号化率を用いてデータ送信を行う。現在、変調方式及び符号化率を適切に選択する方法としては、様々な検討が行われている（例えば、特許文献１〜３参照）。
【０００６】
一方、３ＧＰＰ等の無線通信規格においては、適応変調やＨＡＲＱ（Ｈｙｂｒｉｄ  Ａｕｔｏｍａｔｉｃ  Ｒｅｐｅａｔ  Ｒｅｑｕｅｓｔ）が規定されているが（例えば、非特許文献１〜４参照）、具体的な実現方法としては自由度を持っている。また、規定されている項目についても、それぞれ独立に規定されている。
【０００７】
【特許文献１】特開２００２−１９９０３３号公報
【特許文献２】特開２００２−３２０２６２号公報
【特許文献３】特表２００２−５２７９３８号公報
【非特許文献１】“Ｍｕｌｔｉｐｌｅｘｉｎｇ  ａｎｄ  ｃｈａｎｎｅｌ  ｃｏｄｉｎｇ；４．５．４  Ｈｙｂｒｉｄ  ＡＲＱ  ｆｏｒ  ＨＳ−ＤＳＣＨ”［３ＧＰＰ  ＴＳ  ２５．２１２  Ｖ５．５．０（２００３−０６）］
【非特許文献２】“Ｐｈｙａｉｃａｌ  ｌａｙｅｒ  ａｓｐｅｘｔｓ  ｏｆ  ＵＴＲＡ  Ｈｉｇｈ  Ｓｐｅｅｄ  Ｄｏｗｎｌｉｎｋ  Ｐａｃｋｅｔ  Ａｃｃｅｓｓ；６．７  Ｅｖａｌｕａｔｉｏｎ  ｏｆ  ｔｅｃｈｎｏｌｏｇｉｅｓ，６．８  Ｈｙｂｒｉｄ  ＡＲＱ（Ｈ−ＡＲＱ）”［３ＧＰＰ  ＴＳ  ２５．８４８  Ｖ４．０．０（２００１−０３）］
【発明の開示】
【発明が解決しようとする課題】
【０００８】
上述した従来の３ＧＰＰ等の無線通信規格では、適応変調やＨＡＲＱが規定されているが、具体的な実現方法には自由度があり、また規定されている項目についても、それぞれ独立に規定されている。
【０００９】
また、ＨＡＲＱでは合成を前提としているにも拘らず、送信データに対して合成による利得を考慮していないので、無線チャネル資源を有効に活用することができていない。
【００１０】
そこで、本発明の目的は上記の問題点を解消し、同じＳＩＲでもさらに上位のＭＣＳを利用することができる可能性が生じ、スループット特性を向上させることができるデータ伝送システム、データ伝送装置及びそれに用いる適応変調制御方法を提供することにある。
【課題を解決するための手段】
【００１１】
本発明によるデータ伝送システムは、伝送路状態に応じた変調符号及び符号化率を選択する適応変調方式と、再送データとそれまでに伝送してエラーとなった伝送データとを合成してデータ検出精度の向上させるＨＡＲＱ（Ｈｙｂｒｉｄ  Ａｕｔｏｍａｔｉｃ  Ｒｅｐｅａｔ  Ｒｅｑｕｅｓｔ）とを組合せて用いるデータ伝送装置を含むデータ伝送システムであって、前記再送データとの合成を前提とした前記変調符号及び符号化率の選択に用いる閾値を補正する手段を前記データ伝送装置に備えている。
【００１２】
本発明によるデータ伝送装置は、伝送路状態に応じた変調符号及び符号化率を選択する適応変調方式と、再送データとそれまでに伝送してエラーとなった伝送データとを合成してデータ検出精度の向上させるＨＡＲＱ（Ｈｙｂｒｉｄ  Ａｕｔｏｍａｔｉｃ  Ｒｅｐｅａｔ  Ｒｅｑｕｅｓｔ）とを組合せて用いるデータ伝送装置であって、前記再送データとの合成を前提とした前記変調符号及び符号化率の選択に用いる閾値を補正する手段を備えている。
【００１３】
本発明による適応変調制御方法は、伝送路状態に応じた変調符号及び符号化率を選択する適応変調方式と、再送データとそれまでに伝送してエラーとなった伝送データとを合成してデータ検出精度の向上させるＨＡＲＱ（Ｈｙｂｒｉｄ  Ａｕｔｏｍａｔｉｃ  Ｒｅｐｅａｔ  Ｒｅｑｕｅｓｔ）とを組合せて用いるデータ伝送装置を含むデータ伝送システムの適応変調制御方法であって、前記データ伝送装置において前記再送データとの合成を前提とした前記変調符号及び符号化率の選択に用いる閾値を補正している。
【００１４】
すなわち、本発明のデータ伝送システムは、受信側のデータ伝送装置で測定したデータチャネルの品質情報［ＳＩＲ（Ｓｉｇｎａｌ  ｔｏ  Ｉｎｔｅｒｆｅｒｅｎｃｅ  ｐｏｗｅｒ  Ｒａｔｉｏ）等］を基に、データ変調方式と符号化率との最適な組合せ（ＭＣＳ：Ｍｏｄｕｌａｔｉｏｎ  ＆  Ｃｏｄｉｎｇ  Ｓｅｔ）を選択し、送信側のデータ伝送装置は選択されたＭＣＳにしたがって伝送データを符号化して送信する適応変調方式（ＡＭＣ：Ａｄａｐｔｉｖｅ  Ｍｏｄｕｌａｔｉｏｎ  ＆  Ｃｏｄｉｎｇ）と、伝送データ中にエラーパケットを検出した時に送信側に対して再送要求を発行し、それによって再送された伝送データ（パケット）と元のエラーパケットとを合成することによってデータ検出を行うＨＡＲＱ（Ｈｙｂｒｉｄ  Ａｕｔｏｍａｔｉｃ  Ｒｅｐｅａｔ  Ｒｅｑｕｅｓｔ）とを用いている。ここで、適応変調方式は伝送路状態に応じた変調符号と符号化率とを選択する方式であり、ＨＡＲＱは再送データとそれまでに伝送してエラーとなった伝送データとを合成してデータ検出精度の向上させる方式である。
【００１５】
本発明のデータ伝送システムでは、上記の装置において、ＭＣＳ選択閾値を、再送データと元のエラーデータとを合成することを前提として補正し、その補正した閾値に基づいてＭＣＳ選択を行い、伝送データを送信するとともに、受信側で送信された再送データと元のエラーデータとの合成を、それぞれのパケットデータの確からしさを示す指標（ＳＩＲ等）を基に実際に合成し、データ検出を行っている。
【００１６】
３ＧＰＰ等の無線通信規格においては、適応変調やＨＡＲＱが規定されているが、それらの具体的な実現方法には自由度がある。また、規定されている項目についても、それぞれ独立に規定されている。
【００１７】
本発明のデータ伝送システムでは、適応変調とＨＡＲＱとを組合せて、スループット特性の向上を図っている。つまり、本発明のデータ伝送システムでは、再送合成を前提とすることによって、再送データに対して上位のＭＣＳを指定することができる可能性を与えている。これによって、本発明のデータ伝送システムでは、無線チャネル資源の有効利用が可能になる。
【発明の効果】
【００１８】
本発明は、以下に述べるような構成及び動作とすることで、同じＳＩＲでもさらに上位のＭＣＳを利用することができる可能性が生じ、スループット特性を向上させることができるという効果が得られる。
【発明を実施するための最良の形態】
【００１９】
次に、本発明の実施例について図面を参照して説明する。図１は本発明の一実施例による受信側のデータ伝送装置の構成を示すブロック図である。図１において、受信側のデータ伝送装置１は送受信共用装置１１と、逆拡散器１２と、拡散器１３と、品質測定器１４と、符号化回路１５と、制御情報復号器１６と、データ検出器（再送、合成）１７と、適応変調制御回路１８とを含んで構成されている。
【００２０】
図２は本発明の一実施例による送信側のデータ伝送装置の構成を示すブロック図である。図２において、送信側のデータ伝送装置２は送受信共用装置２１と、逆拡散器２２と、拡散器２３と、制御情報復号器２４と、符号化回路２５とを含んで構成されている。
【００２１】
伝送データ２６は送信側のデータ伝送装置２において、直前の品質情報や再送情報等によって定められたＭＣＳ（Ｍｏｄｕｌａｔｉｏｎ  ＆  Ｃｏｄｉｎｇ  Ｓｅｔ）によって符号化回路２５で符号化され、拡散器２３で拡散され、送受信共用装置２１を通して受信側のデータ伝送装置１へと送信される。
【００２２】
受信側のデータ伝送装置１では受信したデータを逆拡散器１２で逆拡散した後に、品質測定器１４と制御情報復号器１６とデータ検出器１７へそれぞれ分配されて送られる。
【００２３】
品質測定器１４は伝送データチャネルの品質情報［ＳＩＲ（Ｓｉｇｎａｌ  ｔｏ  Ｉｎｔｅｒｆｅｒｅｎｃｅ  ｐｏｗｅｒ  Ｒａｔｉｏ）等］を測定し、制御情報復号器１６はＭＣＳ情報を復号し、データ検出器１７はＭＣＳ情報を用いて伝送データを復号する。また、データ検出器１７では再送データに対して以前のエラーデータとの合成を行い、データ復号精度を向上させている。
【００２４】
ＡＭＣ（Ａｄａｐｔｉｖｅ  Ｍｏｄｕｌａｔｉｏｎ  ＆  Ｃｏｄｉｎｇ）を制御する適応変調制御回路１８は品質測定器１４からの品質情報と、データ検出器１７からの閾値補正値とに基づいて最適なＭＣＳを選択する。
【００２５】
符号化回路１５はエラー情報［ＡＣＫ（ａｃｋｎｏｗｌｅｄｇｅｍｅｎｔ）／ＮＡＣＫ（ｎｅｇａｔｉｖｅ  ａｃｋｎｏｗｌｅｄｇｅｍｅｎｔ）］、ＭＣＳ情報等を符号化し、拡散器１３で拡散した後、送受信共用装置１１を通して送信側のデータ伝送装置２へと通知している。
【００２６】
送信側のデータ伝送装置２はこれらの情報を受取ると、符号化回路２５及び拡散器２３にてＭＣＳ情報を基に、次に送る伝送データの変調、符号化、拡散を行って送受信共用装置２１を通して受信側のデータ伝送装置１へと送信する。
【００２７】
図３は図１のデータ検出器１７の構成を示すブロック図である。図３において、データ検出器１７はＭＣＳ復号器１７１と、再生データ合成器１７２と、エラー判定部１７３と、エラーデータバッファ１７４と、閾値補正値計算器１７５とから構成されている。
【００２８】
逆拡散器１２で逆拡散されたデータはＭＣＳ復号器１７１で復号されるとともに、パケット単位で復号データの確からしさを示すパラメータ（ＳＩＲ等）（以下、指数ｕとする）を計算する。この指数ｕは閾値補正値と一意的に対応するものである。
【００２９】
再生データ合成器１７２は以前エラーとなった伝送データと、再送されたデータとを合成する。その時、再生データ合成器１７２はそれぞれのデータパケットに付随する指数ｕを基に合成比率を決定し、合成後のデータに対する指数ｕを改めて計算する。
【００３０】
エラー判定部１７３は再生データ合成器１７２による合成後のデータにおいてエラーの有無を判定し、エラーがなければ伝送データとして出力する。また、エラー判定部１７３はエラーを検出すると、エラーデータと指数ｕとをエラーデータバッファ１７４に格納するとともに、エラー情報（ＡＣＫ／ＮＡＣＫ）と指数ｕとを出力する。閾値補正値計算器１７５は指数ｕを基に各ＭＣＳ境界に対する閾値の補正値を出力する。
【００３１】
図４は本発明の一実施例による閾値のシフトの原理を示す図である。この図４を参照して本発明の一実施例による閾値のシフトの原理について説明する。図４においては、例として、３個のＭＣＳについてＳＩＲとスループットとの関係を示している。
【００３２】
ＭＣＳ閾値はスループットを最大とする条件であるＴk,k+1 及びＴk+1,k+2 である。各ＭＣＳのスループット特性曲線は、再送における合成を考慮することによって左にシフトする。つまり、合成によってＳＩＲの劣化が保証される。これによって、各ＭＣＳ境界の閾値は左へΔＳＩＲシフトする。このシフト量は、合成されるエラーデータの指数ｕによって決まる。
【００３３】
図５は指数ｕとΔＳＩＲとの関係例を示す図である。図５において、指数ｕとΔＳＩＲとの関係曲線は、理論計算やシミュレーション、実測等によって予め求めておき、関数やテーブル等として保持しておく。
【００３４】
図６は図１の適応変調制御回路１８の構成を示すブロック図である。図６において、適応変調制御回路１８は閾値テーブル（ＳＩＲ）１８１と、比較期１８２とから構成されている。
【００３５】
閾値テーブル１８１は格納している値をデータ検出器１７の閾値補正値計算器１７５で求められた閾値補正値によって補正し、比較期１８２はこの新しい閾値とチャネル品質情報（ＳＩＲ等）とを比較することによってＭＣＳを決定する。
【００３６】
エラーデータの確からしさを示す指数ｕとしては、ＭＣＳ復号データ（または合成データ）に対する軟判定結果のＳＩＲを用いることができる。再送合成としてＣＣ（Ｃｈａｓｅ  Ｃｏｍｂｉｎｉｎｇ）を用いる場合には、ＳＩＲ合成を行う。また、再送合成にＩＲ（Ｉｎｃｒｅｍｅｎｔａｌ  Ｒｅｄｕｎｄａｎｃｙ）を用いる場合には、冗長ビットのパターンや再送回数を考慮してΔＳＩＲを求める必要がある。この時の指数ｕとΔＳＩＲとの関係も、理論計算やシミュレーション、実測等によって予め求めておくことができる。
【００３７】
伝送路品質やＭＣＳ選択閾値を示すパラメータとしてのＳＩＲと、閾値補正値を決定するためのパラメータ（指数ｕ）としてのＳＩＲとは、基本的には別定義のパラメータである。伝送路品質を示すパラメータは逆拡散データに対するＳＩＲ等で定義し、閾値補正値を決める指数ｕはＭＣＳ復号後の伝送データに対するＳＩＲ等で定義可能である。
【００３８】
次に、図４を参照して本実施例による効果について説明する。図４はＳＩＲを基準としてＭＣＳ選択を行っている例であり、各ＭＣＳに対するスループット特性を示している。各ＭＣＳのスループット特性曲線の交点がＭＣＳ閾値Ｔである。再送によって、元のエラーデータと再送データとの合成が行われることによって、各ＭＣＳスループット特性曲線は左にシフトする（点線で示す）。
【００３９】
曲線の交点である閾値ＴはΔＳＩＲシフトして小さくなり、補正閾値ｔとなる。これによって、同じＳＩＲでもさらに上位のＭＣＳを利用することができる可能性が生まれ、スループット特性が向上する。
【００４０】
（１）本実施例では装置のスループット特性を最大とするＭＣＳ選択閾値を、各ＭＣＳのスループット静特性（マルチパスやフェージングの無い条件でのＳＩＲとスループットとの関係）を基にして定める。マルチパスやフェージングの影響があっても、各スロット（またはパケット）のような微少な単位で評価した場合、スロットのＳＩＲとスループットとの特性は、静特性と一致する。よって、各ＭＣＳのスループット静特性カーブの交点を閾値とすることによって、ＡＭＣとしてスループット特性を最大とすることができる。
【００４１】
（２）受信側では、ＳＩＲ等の伝送路品質測定と閾値補正値計算とを行い、ＮＡＣＫとともに送信側に通達（送信）する。送信側では、送られてきた閾値補正値を用いて閾値を補正し、送られてきたＳＩＲ等の品質情報との比較からＭＣＳを決定する。
【００４２】
（３）受信側では、ＳＩＲ等の伝送路品質測定と、エラーデータに対する確からしさを示す指数ｕの計算とを行い、ＮＡＣＫとともに送信側に通達（送信）する。送信側では、送られた指数ｕから閾値補正値を求めて閾値を補正し、送られたＳＩＲ等の品質情報との比較からＭＣＳを決定する。
【００４３】
図７は本発明の他の実施例による受信側のデータ伝送装置の構成を示すブロック図である。図７において、受信側のデータ伝送装置３は送受信共用装置１１と、逆拡散器１２と、拡散器１３と、品質測定器１４と、符号化回路１５と、制御情報復号器１６と、データ検出器（再送、合成）１７とを含んで構成されている。
【００４４】
図８は本発明の他の実施例による送信側のデータ伝送装置の構成を示すブロック図である。図８において、送信側のデータ伝送装置４は送受信共用装置２１と、逆拡散器２２と、拡散器２３と、制御情報復号器２４と、符号化回路２５と、適応変調制御回路４１とを含んで構成されている。
【００４５】
本実施例では、本発明の一実施例において受信側のデータ伝送装置１側にあった適応変調制御回路１８を送信側のデータ伝送装置２側に移している。つまり、受信側のデータ伝送装置３には適応変調制御回路１８を備えていないが、送信側のデータ伝送装置４には適応変調制御回路４１を備えるようにしている。
【００４６】
伝送データ２６は送信側のデータ伝送装置４において、直前の品質情報や再送情報等によって定められたＭＣＳによって符号化回路２５で符号化され、拡散器２３で拡散され、送受信共用装置２１を通して受信側のデータ伝送装置１へと送信される。
【００４７】
受信側のデータ伝送装置１では受信したデータを逆拡散器１２で逆拡散した後に、品質測定器１４と制御情報復号器１６とデータ検出器１７へそれぞれ分配されて送られる。
【００４８】
品質測定器１４は伝送データチャネルの品質情報［ＳＩＲ等］を測定し、制御情報復号器１６はＭＣＳ情報を復号し、データ検出器１７はＭＣＳ情報を用いて伝送データを復号する。また、データ検出器１７では再送データに対して以前のエラーデータとの合成を行い、データ復号精度を向上させている。
【００４９】
符号化回路１５はエラー情報［ＡＣＫ／ＮＡＣＫ］、ＭＣＳ情報等を符号化し、拡散器１３で拡散した後、送受信共用装置１１を通して送信側のデータ伝送装置２へと通知している。
【００５０】
送信側のデータ伝送装置２はこれらの情報を受取ると、ＡＭＣを制御する適応変調制御回路４１が品質測定器１４からの品質情報と、データ検出器１７からの閾値補正値とに基づいて最適なＭＣＳを選択する。符号化回路２５及び拡散器２３は適応変調制御回路４１にて選択されたＭＣＳ情報を基に、次に送る伝送データの変調、符号化、拡散を行って送受信共用装置２１を通して受信側のデータ伝送装置１へと送信する。
【００５１】
このように、適応変調制御回路４１は図示せぬ上位装置からの制御によって閾値から選ばれたＭＣＳを変更する。この場合、送信側のデータ伝送装置４には、本発明の一実施例で用いられるデータ検出器１７の閾値補正値計算器１７５が必要になる。これによって、本実施例では上述した本発明の一実施例における（２），（３）の動作が可能となる。
【図面の簡単な説明】
【００５２】
【図１】本発明の一実施例による受信側のデータ伝送装置の構成を示すブロック図である。１８とを含んで構成されている。
【図２】図２は本発明の一実施例による送信側のデータ伝送装置の構成を示すブロック図である。
【図３】図１のデータ検出器の構成を示すブロック図である。
【図４】本発明の一実施例による閾値のシフトの原理を示す図である。
【図５】指数ｕとΔＳＩＲとの関係例を示す図である。
【図６】図１の適応変調制御回路の構成を示すブロック図である。
【図７】本発明の他の実施例による受信側のデータ伝送装置の構成を示すブロック図である。
【図８】本発明の他の実施例による送信側のデータ伝送装置の構成を示すブロック図である。
【符号の説明】
【００５３】
１  受信側のデータ伝送装置
２  送信側のデータ伝送装置
１１，２１  送受信共用装置
１２，２２  逆拡散器
１３，２３  拡散器
１４，２５  品質測定器
１５  符号化回路
１６，２４  制御情報復号器
１７  データ検出器
１８，４１  適応変調制御回路
１７１  ＭＣＳ復号器
１７２  再生データ合成器
１７３  エラー判定部
１７４  エラーデータバッファ
１７５  閾値補正値計算器
【図１】
2005123755.tif 000003
【図２】
2005123755.tif 000004
【図３】
2005123755.tif 000005
【図４】
2005123755.tif 000006
【図５】
2005123755.tif 000007
【図６】
2005123755.tif 000008
【図７】
2005123755.tif 000009
【図８】
2005123755.tif 000010